(57)【特許請求の範囲】
【請求項１】
片側面（１）に導電層（５）を備えている透明の支持板（２）と、光放射面（１１）の両側に接続端子（７、８）を備えた表面実装可能な発光ダイオード（６）とから成り、この発光ダイオード（６）が、その接続端子（７、８）で導電層（５）と接触し、かつ光放射面（１１）で支持板（２）と対向するようにして取り付けられていることを特徴とする照明装置。
【請求項２】
透明の支持板（２）が、その発光ダイオード（６）に向かい合うのと反対側の表面に、光を散乱あるいは集束するための光学的機構（１８）を有していることを特徴とする請求項１記載の照明装置。
【請求項３】
導電層（５）が、所期の構造を持つインジウム・錫酸化物層（ＩＴＯ層）から成っていることを特徴とする請求項１又は２記載の照明装置。
【請求項４】
ＩＴＯ層（３）が、レーザ加工で分離溝（４）を設けることによって所期の構造に加工されていることを特徴とする請求項３記載の照明装置。
【請求項５】
発光ダイオード（６）の接続端子（７、８）が、支持板（２）上の導電層（５）に導電性接着剤（９、１０）を介して接続されていることを特徴とする請求項１ないし４のいずれか１つに記載の照明装置。
【請求項６】
導電層（５）上の、発光ダイオード（６）の接続端子（７、８）と接触する部位に、補助的な電気伝導性の接触面（１７）が設けられていることを特徴とする請求項１ないし５のいずれか１つに記載の照明装置。
【請求項７】
発光ダイオード（６）の光放射面（１１）が、透明の接着剤（１２）を介して支持板（２）に固定されていることを特徴とする請求項１ないし６のいずれか１つに記載の照明装置。
【請求項８】
導電層（５）が抵抗材料から成り、この上に補助的な電気伝導路（１３）が設けられ、この電気伝導路（１３）と発光ダイオード（６）の接続端子（７、８）との間の抵抗材料が、発光ダイオード（６）の限流抵抗（１４  ）を形成することを特徴とする請求項１ないし７のいずれか１つに記載の照明装置。
【発明の詳細な説明】
【０００１】
【発明の属する技術分野】
本発明は、照明装置、例えば自動車の補助制動灯等に関する。
【０００２】
【従来の技術】
発光ダイオード付き照明装置、例えば自動車の補助制動灯において、発光ダイオードは、通常、適当な限流抵抗と共に導体板上に固着される。発光ダイオードを保護するためおよび場合によっては光を良好に分散するために、発光ダイオードの前に、光学系の保護体、最も単純な場合にはガラス板が配置される。ドイツ特許出願公開第１９６３５５６４号明細書で知られているように、その抵抗は、配線接続された電気部品、表面実装可能な電気部品（ＳＭＤ）として形成されるか、あるいは抵抗層の形で導体板上に形成される。
【０００３】
特開平５−１１９７０６号明細書において、発光ダイオードのチップをガラス板上に取り付けた照明装置が知られている。そのガラス板は片側表面がインジウム・錫酸化物層（ＩＴＯ層）で被覆され、このＩＴＯ層はフォトリソグラフィ法で所期の構造に加工される。発光ダイオードのチップを取着けようとする場所に第１の接触面が、それに隣接する場所に第２の接触面が、それぞれ金の層により形成され、発光ダイオードのチップは、導電性接着剤を用いて第１の接触面にダイボンディングで固定され、第２の接触面にワイヤボンディングで接続される。発光ダイオードチップの光放射は、その構造およびその固定法に基づいて、それを支持するガラス板から離れる方向に行われる。
【０００４】
特開平４−１９９７５４号明細書から、所期の構造に加工されたＩＴＯ層上にニッケル・燐の層が設けられ、その上に金の層が設けられている点で上述の公知の照明装置とは異なる照明装置が知られている。その発光ダイオードチップは、金層上に第１の接触面および第２の接触面を介して、それぞれダイボンディングおよびワイヤボンディングによって固定されている。ニッケル・燐の層は、個々の発光ダイオードに対する限流抵抗の機能を坦っている。ここでもまた、発光ダイオードチップの光放射は、その構造およびその固定法に基づいて、それを支持するガラス板から離れる方向に行われる。
【０００５】
スタンレイ  エレクトリック  セールス  オブ  アメリカ  インコーポレイテッド（Electric Sales of America Inc.）のインターネット：ＵＲＬ：http://www.stanleyelec.com/smt/rm.htm （登録：１９９８年１１月１７日）により、導体板上に組み立てる際に光放射面が導体板側に向けられ、光が導体板にある孔を透過するような表面実装可能な（ＳＭＤ）発光ダイオードが知られている。また類似した発光ダイオードは、シーメンス社から商品名「Ｈｙｐｅｒ  ＴＯＰＬＥＤR ＲＧ」で販売されている。
【０００６】
【発明が解決しようとする課題】
本発明の課題は、特に種々の形状および寸法を有する発光ダイオード付き照明装置の製造費および構造費用を低減することにある。
【０００７】
【課題を解決するための手段】
この課題は本発明によれば、片側面に導電層を備えている透明な支持板と、光放射面の両側に接続端子を備えた表面実装可能な発光ダイオードとから成り、この発光ダイオードがその接続端子で導電層と支持板の光放射側の表面とに接触し、かつ支持板の光放射面と対向するようにして支持板に取り付けられていることによって解決される。
【０００８】
発光ダイオードとして、例えば上述のシーメンス社あるいはスタンレイ  エレクトリック社の発光ダイオードが利用される。透明の支持板は、光学系保護体の機能並びに発光ダイオードの支持体としての機能を担い、支持板上の導電層は、発光ダイオードとの電気接続部を形成する。導電層のその都度の形状に応じて、並列接続あるいは直列接続されている発光ダイオードは、個々にあるいはグループで制御される。
【０００９】
発光ダイオードは表面実装可能な電気部品であるので、支持板に、その都度の形状および大きさに無関係に極めて簡単に発光ダイオードを装着でき、また支持板の種々の部位に、色々な、例えば異なった色の発光ダイオードを装着することができる。このようにして、例えば自動車の補助制動灯、尾灯および方向指示灯は、個々にあるいは組み合わせて照明装置に組み入れられ、種々の形状および大きさの自動車室内灯、トランク室灯、グローブボックス灯、信号機灯、宣伝灯あるいは表示灯を、極めて安価な製造費で作ることができる。更に、本発明に基づく照明装置は、特に構造上高さが低いという特長を有する。透明の支持板自体に、追加的に、例えば表示領域あるいは宣伝文字を記入するために、印刷部が設けられる。その場合、本発明に基づく照明装置の構造的な理由より、発光ダイオードと印刷部との位置調整についての問題は生じない。
【００１０】
透明の支持板は、利用目的に応じて多かれ少なかれ透けて見え且つ着色できるガラス板あるいはプラスチック板であり、大きな機械的強度が要求される場合には防弾ガラスあるいは複合ガラスとして形成される。支持板はその装着されるのと反対側の面に、光を散乱あるいは集束するために、溝、格子あるいはレンズのような光学的機構を有することができる。
【００１１】
支持板上の導電層は、発光ダイオードから発せられる光を、支持板を透過して導かねばならない。この要求は、支持板が発光ダイオードの光放射側の面と直に対向して位置する部位が、導電層で覆われていないか、導電層自体が透明であることによって満たされる。後者の場合、導電層は好適にはインジウム・錫酸化物層（ＩＴＯ層）から成り、このＩＴＯ層は、支持板に設置する際に既に加工されているか、後での材料削除によって加工される。後者の場合、特にレーザ加工で分離溝を設けることによって、特に簡単に所期の構造とされる。あるいはまた、導電層は導電性プラスチックから構成するか、あるいは金属被覆によって、あるいは導電性ペーストの塗布、例えば印刷によって形成される。
【００１２】
発光ダイオードの接続端子は、好適には導電層に導電性接着剤を介して接続され、その場合問題となる場所に、補助的な電気伝導性接触面が、被覆あるいは導電性ペーストの塗布によって設けられる。
【００１３】
機械的強度を高めるために、発光ダイオードはその光放射面が、透明の接着剤によって支持板に固定される。
【００１４】
導電層は好適には、例えばＩＴＯ層の場合と同様に抵抗材料から成り、この上に補助的な電気伝導路が例えばスクリーン印刷で設けられ、その電気伝導路とダイオードの接続端子との間の抵抗材料が、発光ダイオードに対する限流抵抗を形成する。
【００１５】
【発明の実施の形態】
以下図に示した実施例を参照して本発明を詳細に説明する。
【００１６】
透明な支持板２、この例ではガラス板の片側の面１に、同様に透明なインジウム・錫酸化物層（ＩＴＯ層）３が設けられている。このＩＴＯ層３は、レーザ加工で分離溝４を設けることによって所期の構造に加工されている。分離溝４付きのＩＴＯ層３によって形成された導電層５の上に、表面実装可能な発光ダイオード６が取り付けられている。この発光ダイオード６は、その接続端子７、８が導電性接着剤９、１０によって導電層５に電気的並びに機械的に接続され、その光放射面１１が支持板２側に向けられている。発光ダイオード６は、必要に応じてその光放射面１１が、追加的に透明の接着剤１２によって支持板２に固定される。ＩＴＯ層３上に、導電性ペーストから成る補助電気伝導路１３が設けられている。ＩＴＯ層３は、この補助電気伝導路１３と発光ダイオード６の接続端子７、８との間で、発光ダイオード６に対する限流抵抗１４を形成している。照明装置と外部電源（図示せず）との接続は、発光ダイオード６と同じようにして導電層５に接続されている表面実装可能な差込みプラグ（図示せず）を介して行われるか、あるいは図示した実施例におけるように、標準品あるいは特殊製品の可撓性導体板としての平面導体１５によって行われる。この平面導体１５は、透明の支持板２の周辺部位において導電性接着剤１６によって導電層５に接続される。
【００１７】
接触の確実性を高めるために、導電層５は発光ダイオード６の接続端子７、８と接触する部位に、例えば金属層の形をした補助的な電気伝導接触面１７を有する。発光ダイオード６からＩＴＯ層３および透明の支持板２を透過する光を必要に応じて散乱するか集束するため、透明の支持板２は、その発光ダイオード６が取り付けられるのと反対側の面に、光学的機構１８、ここでは例えば溝が設けられる。
【図面の簡単な説明】
【図１】本発明に基づく照明装置の断面図。
【符号の説明】
１    透明の支持板の片側面
２    透明の支持板
３    インジウム・錫酸化物層（ＩＴＯ層）
４    分離溝
５    導電層
６    発光ダイオード
７    接続端子
８    接続端子
１１    発光ダイオードの光放射面
１３    電気伝導路
１４    限流抵抗
【図１】
0004703806.tif 000002